(57)【要約】      （修正有）【課題】透光性部材が汚れてしまうのを防止することができるとともに、透光性部材から飛散したごみ等が装置内に侵入するのを防止して画質が低下するのを低コストで実現することができる画像読取装置および画像形成装置を提供すること。【解決手段】読取位置Ａに設けられ、搬送される原稿をガイドするスリットガラス２２ｂと、読取位置Ａでスリットガラス２２ｂを介して搬送される原稿の読取りを行う画像読取手段８１と、スリットガラス２２ｂを複写機の本体２１に固定する押えカバー１２１および原稿ガイド１２２とを備え、スリットガラス２２ｂは、搬送される原稿と対向する面に防汚用のコーティング層１２３が形成され、押えカバー１２１および原稿ガイド１２２に対向する面にコーティング層が形成されていない。【選択図】図５
2006211031.tif 000002
【特許請求の範囲】
【請求項１】
読取位置に設けられ、搬送される原稿を前記読取位置に案内する透光性部材と、
前記読取位置で前記透光性部材を介して搬送される原稿の読取りを行う画像読取手段と、
前記透光性部材を画像形成装置の本体に固定する固定部材とを備えた画像読取装置において、
前記透光性部材は、前記搬送される原稿と対向する面に防汚用のコーティング処理が施され、
前記コーティング処理は、前記固定部材に対向する面に施されていないことを特徴とする画像読取装置。
【請求項２】
前記透光性部材は、少なくとも読取位置を含んだ領域から原稿の搬送方向上流側に前記コーティング処理が施され、前記読取位置に対して原稿の搬送方向下流側に前記コーティング処理が施されていない領域を有することを特徴とする請求項１に記載の画像読取装置。
【請求項３】
前記固定部材は、前記原稿の搬送方向上流側の前記透光性部材の端部に設けられ、原稿を前記透光性部材に案内する第１の押え部材と、前記原稿の搬送方向下流側の前記透光性部材の端部に設けられ、読取りが終了した原稿を前記透光性部材からすくい上げて排紙する第２の押え部材とからなることを特徴とする請求項１または請求項２に記載の画像読取装置。
【請求項４】
前記第１の押え部材と前記透光性部材の間および前記第２の押え部材と前記透光性部材の間の少なくとも一方に介装部材を介装し、第１の押え部材と前記透光性部材の間および前記第２の押え部材と前記透光性部材の間を密閉したことを特徴とする請求項３に記載の画像読取装置。
【請求項５】
前記コーティング処理は、前記透光性部材の両面で、かつ、原稿の搬送方向と直交する方向に延在する中心軸に対して点対称な位置に形成されることを特徴とする請求項１〜請求項４の何れか１項に記載の画像読取装置。
【請求項６】
前記介装部材は、前記透光性部材の両面で、かつ、原稿の搬送方向と直交する方向に延在する中心軸に対して点対称な位置に装着されることを特徴とする請求項１〜請求項５の何れか１項に記載の画像読取装置。
【請求項７】
請求項１〜請求項６の何れか１項に記載の画像読取装置を搭載するとともに、記録媒体に画像を形成する画像形成手段を備えたことを特徴とする画像形成装置。
【発明の詳細な説明】
【技術分野】
【０００１】
本発明は、画像読取装置および画像形成装置に関し、例えば、複写機、ファクシミリ装置、プリンタ装置等の画像形成装置に設けられ、搬送される原稿を透光性部材を通して読取るようにした画像読取装置およびその画像読取装置を備えた画像形成装置に関する。
【背景技術】
【０００２】
従来より、積載された原稿を１枚ずつ分離して搬送する、所謂、シートスルー方式の自動原稿搬送装置（以下、単にＡＤＦという）を備えた画像読取装置が知られており、例えば、プリンタ装置、ファクシミリ装置、複写機、複写機能とファクシミリ機能等とを備えた複合機等に搭載することにより、積載する原稿をコンタクトガラス上の読取位置に搬送することが行われている。
【０００３】
ところで、このようなシートスルー方式のＡＤＦを備えた画像読取装置では、原稿の画像の読取り時に、コンタクトガラスが紙粉、糊、修正液、あるいは原稿の未乾燥のインク等で汚れると、コンタクトガラスの読取位置では点として付着している汚れであるにも拘らず、原稿が副走査方向に移動するため、ごみ等が縦の黒筋（副走査方向と平行の黒筋）となって画像に現れ、画質を低下させてしまう。
【０００４】
このような不具合を解消するものとしては、原稿の読取面に対応させて整置するコンタクトガラスの表面全体を、汚れ付着防止機能を有するコーティング部材で構成することにより、コンタクトガラスにごみ等が付き難くしたものがある（例えば、特許文献１参照）。
【０００５】
【特許文献１】特開２０００−３９６７８０号公報
【発明の開示】
【発明が解決しようとする課題】
【０００６】
しかしながら、このような従来の画像読取装置にあっては、コンタクトガラスの表面全体にコーティング処理を施しているため、コンタクトガラスに付着したごみ等が画像読取装置の内部に侵入してしまい、画像読取装置を構成する機器を汚してしまうという問題があった。
【０００７】
すなわち、通常、コンタクトガラスは画像読取装置の本体に押え部材により固定されていることから、高い防汚効果を持つような処理をコンタクトガラスの全面に施した場合に、コンタクトガラス全面の摩擦係数が低下してごみ等がコンタクトガラスに付着しなくなるため、このごみが摩擦係数の低いコンタクトガラスと押え部材の間の隙間から画像読取装置の本体内部に容易に侵入してしまう。
【０００８】
このごみ等がＣＣＤやミラーに付着して汚れてしまうと、ごみ等が縦の黒筋（副走査方向と平行の黒筋）となって画像に現れ、画質を低下させてしまうという問題が発生してしまう。また、高い防汚効果を持つようシリコーン系やフッ素系の処理をコンタクトガラスの全面に施すと、コストが増大してしまうという問題も発生してしまう。
【０００９】
本発明はこのような問題を解決するためになされたもので、透光性部材が汚れてしまうのを防止することができるとともに、透光性部材から飛散したごみ等が装置内に侵入するのを防止して画質が低下するのを低コストで実現することができる画像読取装置および画像形成装置を提供するものである。
【課題を解決するための手段】
【００１０】
本発明の画像読取装置は、読取位置に設けられ、搬送される原稿を前記読取位置に案内する透光性部材と、前記読取位置で前記透光性部材を介して搬送される原稿の読取りを行う画像読取手段と、前記透光性部材を画像形成装置の本体に固定する固定部材とを備えた画像読取装置において、前記透光性部材は、前記搬送される原稿と対向する面に防汚用のコーティング処理が施され、前記コーティング処理は、前記固定部材に対向する面に施されていないものから構成されている。
【００１１】
この構成により、搬送される原稿と対向する面に防汚用のコーティング処理を施し、固定部材に対向する面にコーティング処理を施していないので、コーティング剤を節約することができ、画像読取装置の製造コストを低減することができる。
【００１２】
また、透光性部材にコーティング処理を施しているので、透光性部材が汚れてしまうのを防止することができる。これに加えて、固定部材に対向する面にコーティング処理を施していないので、この部分の透光性部材の摩擦係数が低下することがなく、ごみ等が透光性部材と固定部材の間から画像読取装置内に侵入し難くすることができる。
【００１３】
この結果、透光性部材上の汚れの影響によるすじ画像を防止することができるとともに、画像読取装置の機器、例えば、ＣＣＤやミラー等が汚れてしまうのを防止することができ、画質が低下するのを防止することができる。
【００１４】
また、本発明の画像読取装置の前記透光性部材は、少なくとも読取位置を含んだ領域から原稿の搬送方向上流側に前記コーティング処理が施され、前記読取位置に対して原稿の搬送方向下流側に前記コーティング処理が施されていない領域を有するものから構成されている。
【００１５】
この構成により、透光性部材の読取位置上が汚れないので、すじ画像が発生するのを防止することができる。また、読取位置に対して原稿の搬送方向下流側にコーティング処理が施されていない領域が存在するため、読取位置から原稿の搬送方向下流側に飛散したごみ等が摩擦係数の大きい非コーティング領域に滞留して読取位置に戻って来ることがないので、透光性部材の読取位置上が汚れてしまうのを防止することができる。
【００１６】
また、本発明の画像読取装置の前記固定部材は、前記原稿の搬送方向上流側の前記透光性部材の端部に設けられ、原稿を前記透光性部材に案内する第１の押え部材と、前記原稿の搬送方向下流側の前記透光性部材の端部に設けられ、読取りが終了した原稿を前記透光性部材からすくい上げて排紙する第２の押え部材とからなるものから構成されている。
【００１７】
この構成により、第１の押え部材によって原稿を読取位置に容易に案内することができるとともに、読取りが終了した原稿を第２の押え部材によって読取位置から容易に排紙することができる。
【００１８】
また、本発明の画像読取装置は、前記第１の押え部材と前記透光性部材の間および前記第２の押え部材と前記透光性部材の間の少なくとも一方に介装部材を介装し、第１の押え部材と前記透光性部材の間および前記第２の押え部材と前記透光性部材の間を密閉したものから構成されている。
【００１９】
この構成により、第１の押え部材と透光性部材の間および第２の押え部材と透光性部材の間から画像読取装置内にごみが侵入するのを介装部材で確実に遮断することができ、画質が低下するのをより一層防止することができる。
【００２０】
また、本発明の画像読取装置の前記コーティング処理は、前記透光性部材の両面で、かつ、原稿の搬送方向と直交する方向に延在する中心軸に対して点対称な位置に形成されるものから構成されている。
【００２１】
この構成により、透光性部材を中心軸を中心にして１８０゜回動させて透光性部材の上下面を引っ繰り返すことにより、原稿に対向する同一面上にコーティング層を位置させることができる。この結果、透光性部材の一方の面のコーティング効果が劣化した場合に、他方の面を使用することで透光性部材を短期間で交換する必要がなく、透光性部材のランニングコストを大幅に低減することができる。
【００２２】
また、本発明の画像読取装置の前記介装部材は、前記透光性部材の両面で、かつ、原稿の搬送方向と直交する方向に延在する中心軸に対して点対称な位置に装着されるものから構成されている。
【００２３】
この構成により、透光性部材を中心軸を中心にして１８０゜回動させて透光性部材の上下面を引っ繰り返すことにより、原稿に対向する同一面上に介装部材を位置させることができる。この結果、透光性部材の一方の面のコーティング効果が劣化した場合に、他方の面を使用することで透光性部材を短期間で交換する必要がなく、透光性部材のランニングコストを大幅に低減することができる。
【００２４】
また、本発明の画像形成装置は、上述した画像読取装置を搭載するとともに、記録媒体に画像を形成する画像形成手段を備えたものから構成されている。
この構成により、透光性部材上の汚れの影響によるすじ画像を防止することができるとともに、画像読取装置の機器、例えば、ＣＣＤやミラー等が汚れてしまうのを防止することができ、画質が低下するのを防止することができる。
【発明の効果】
【００２５】
以上説明したように、本発明は、透光性部材が汚れてしまうのを防止することができるとともに、透光性部材から飛散したごみ等が装置内に侵入するのを防止して画質が低下するのを低コストで実現することができる画像読取装置および画像形成装置を提供することができる。
【発明を実施するための最良の形態】
【００２６】
以下、本発明の実施の形態について、図面を用いて説明する。
図１〜図６は本発明に係る画像読取装置および画像読取装置を備えた画像形成装置の第１の実施の形態を示す図であり、本発明の画像読取装置を画像形成装置としての複写機に搭載した例を示している。なお、画像形成装置としては複写機以外にファクシミリ装置、プリンタ装置、複写機能とファクシミリ機能等を備えた複合機等に適用することができる。
【００２７】
まず、構成を説明する。図１〜図３において、複写機の本体２１の上面にはコンタクトガラス２２ａが設けられており、このコンタクトガラス２２ａに隣接する本体の上面にはコンタクトガラス２２ａよりも小面積のスリットガラス（読取位置）２２ｂが設けられている。
【００２８】
また、本体２１の上部には自動用紙搬送装置としてのＡＤＦ２３が設けられており、このＡＤＦ２３は図示しないヒンジ機構を介してコンタクトガラス２２ａを開放および閉塞するように開閉自在になっている。
【００２９】
また、ＡＤＦ２３は、積層原稿（用紙）からなる原稿束Ｐが原稿面を上向きにして載置される原稿テーブル２４、原稿テーブル２４に載置された原稿束Ｐから原稿を一枚ずつ分離して給紙する分離給紙部（分離給紙手段）２５と、給紙された原稿を突き当て整合してスキューの矯正を行うとともに、整合後の原稿を引き出して搬送するレジスト部２６と、搬送される原稿を反転させて、原稿面をスリットガラス（透光性部材）２２ｂ側に向けて搬送するターン部２７と、原稿の表面画像をコンタクトガラス２２ａの下方に設けられた図示しない後述する画像読取手段により読取りを行わせる第１読取搬送部２８と、読取り終了後の原稿の裏面画像を読取る第２読取搬送部２９と、表裏の読取りが完了した原稿をＡＤＦ２３機外に排出する排紙部３０と、読取り完了後の原稿を積載保持するスタック部３１と、これら搬送動作の駆動を行うピックアップモータ１０１、給紙モータ１０２、読取モータ１０３、排紙モータ１０４および底板上昇モータ１０５と、ＡＤＦ２３の一連の動作を制御するコントローラ１００とから構成されている。
【００３０】
原稿テーブル２４のテーブル面には原稿の長さを検知する原稿長さ検知センサ３２、３３が設けられており、この原稿長さ検知センサ３２、３３は反射型センサ、または、１枚の原稿でも検知可能なアクチェータータイプのセンサ等から構成され、原稿の搬送方向長さを検知して検知信号をコントローラ１００に出力するようになっている。したがって、原稿長さセンサ３２、３３は少なくとも同一原稿サイズの縦か横かを判断可能なように原稿テーブル２４のテーブル面に配置されている。
【００３１】
また、原稿テーブル２４の先端（原稿の搬送方向下流側）には可動テーブル３４が設けられており、この可動テーブル３４は底板上昇モータ１０５によって矢印ａ−ｂで示すように上下動されるようになっている。
【００３２】
また、原稿テーブル２４には図示しないサイドガイドが設けられており、このサイドガイドによって原稿束Ｐの幅方向（原稿の搬送方向と直行する方向）の位置決めが行われるようになっている。
【００３３】
また、可動テーブル３４の近傍にはセットフィラー３５および原稿セットセンサ３６が設けられており、セットフィラー３５は原稿テーブル２４に原稿束Ｐが載置されたときに破線で示す位置から実線で示す位置に移動し、原稿セットセンサ３６がこのセットフィラー３５を検知した状態から未検知状態に変化すると、コントローラ１００に信号を出力する。コントローラ１００はＩ／Ｆ１０７を介して複写機の本体２１に設けられた本体制御部１１１に信号を出力し、本体２１側では原稿の読取りを行うための待機状態に移行する。
【００３４】
また、コントローラ１００は原稿セットセンサ３６からの検知信号に基づいて原稿テーブル２４に原稿束Ｐが載置されたことを判断したときに、底板上昇モータ１０５を上昇させ原稿束Ｐの最上面をピックアップローラ３７に接触させる。
【００３５】
ピックアップローラ３７はピックアップモータ１０１からの駆動力が図示しないカム機構を介して伝達されるようになっており、ピックアップモータ１０１およびカム機構により矢印ｃ−ｄで示すように原稿束Ｐの上面に接触する位置と待避する位置の間で上下移動する。
【００３６】
また、可動テーブル３４の上方にはテーブル上昇センサ３８が設けられており、このテーブル上昇センサ３８は可動テーブルが矢印ｃ方向に上昇したときにピックアップローラ３７が上昇すると、ピックアップローラ３７の位置を検知することにより、上昇可能な上限を検知するようになっている。
【００３７】
また、本体２１側に設けられた操作部１０８のプリントキーが押下され、本体制御部１１１からＩ／Ｆ１０７を介してコントローラ１００に原稿給紙信号が送信されると、ピックアップローラ３７は給紙モータ１０２の正転により回転駆動するようになっており、原稿テーブル２４上の数枚（理想的には１枚）の原稿の給紙を開始する。
【００３８】
この給紙された原稿はピックアップローラ３７の下流側に設けられた給紙ベルト３９およびリバースローラ４０からなる分離給紙手段に給紙される。
【００３９】
給紙ベルト３９は給紙モータ１０２が正転駆動されると給紙方向（時計方向）に回転駆動されるようになっており、リバースローラ４０には図示しないトルクリミッタが内蔵され、給紙モータ１０２が正転駆動されると給紙方向と逆方向（時計方向）に回転駆動されるようになっている。このため、最上位の原稿とその下の原稿が分離されて、最上位の原稿のみが給紙される。
【００４０】
具体的には、リバースローラ４０は給紙ベルト３９と所定圧で接しており、給紙ベルト３９と直に接触しているとき、または、原稿１枚を介して接している状態では給紙ベルト３９の回転につられて反時計方向に連れ回りし、原稿が万が一２枚以上給紙ベルト３９とリバースローラ４０の間に進入した時は連れ回り力がトルクリミッタのトルクよりも低くなるように設定されている。このため、リバースローラ４０は本来の駆動方向である時計方向に回転し、余分な原稿を押し戻す働きをして重送を防止することができ、給紙ベルト３９とリバースローラ４０の作用により１枚に分離された原稿は給紙ベルト３９によって送られるようになっている。
【００４１】
また、給紙ベルト３９の下流側には突き当てローラ４１が設けられており、この突き当てローラ４１は駆動ローラ４１ａおよび従動ローラ４１ｂから構成され、給紙モータ１０２により回転駆動されるようになっている。
この突き当てローラ４１は給紙ベルト３９とリバースローラ４０の作用により１枚に分離された原稿のスキューの矯正およびさらに下流側に搬送する機能を有している。
【００４２】
すなわち、原稿の給紙時に給紙モータ１０２を停止することにより、突き当てローラ４１は停止された状態に設定されており、分離された原稿が突き当てローラ４１の上流側に設けられた突き当てセンサ４２によって検知された後、突き当てローラ４１に原稿の先端が突き当てられる。
【００４３】
そして、突き当てセンサ４２が原稿の先端を検知してコントローラ１００に信号を出力すると、コントローラ１００は突き当てセンサ４２の検知から所定量定められた距離だけ給紙モータ１０２を駆動して給紙ベルト３９を周回移動させることにより、突き当てローラ４１に原稿が所定量の撓みを持って押し当てられた状態にする。
【００４４】
また、給紙モータ１０２の停止前にピックアップモータ１０１を回転させてピックアップローラ３７を原稿束Ｐの上面から退避させる。このときには、原稿が給紙ベルト３９の搬送力のみで送られることにより、原稿先端が突き当てローラ４１の駆動ローラ４１ａおよび従動ローラ４１ｂのニップに進入して原稿の先端のスキューが矯正される。
【００４５】
また、スキューの矯正後に給紙モータ１０２が逆転駆動されるようになっており、このとき、突き当てローラ４１は給紙モータ１０２によって回転駆動され、分離された原稿を中間ローラ４３に搬送するようになっている。この中間ローラ４３は駆動ローラ４３ａおよび従動ローラ４３ｂから構成されており、給紙モータ１０２によって駆動される。
【００４６】
なお、給紙モータ１０２が逆転駆動されると、突き当てローラ４１と中間ローラ４３に給紙モータ１０２の駆動力が伝達され、ピックアップローラ３７と給紙ベルト３９には駆動力が駆動されない。
【００４７】
また、突き当てローラ４２の下流側には幅方向センサ４４が設けられており、この幅方向センサ４４は図２中、図面の手前側から奥側に複数個設けられ、搬送された原稿を検知してコントローラ１００に信号を出力するようになっている。コントローラ１００は幅方向センサ４４のＯＮ信号に基づいて原稿の搬送方向に直行する幅方向のサイズを検知するようになっている。
【００４８】
また、原稿の搬送方向の長さに関しては、コントローラ１００が原稿の突き当てセンサ４２からの検知信号に基づいて検知するようになっている。すなわち、突き当てセンサ４２が原稿の先端を検知してＯＮになり、その後、突き当てセンサ４２が原稿の後端を検知してＯＦＦになったときの給紙モータ１０２のパルス信号を計数することにより、原稿の長さを検知する。
【００４９】
また、中間ローラ４３の下流側には読取入口ローラ４５が設けられており、この読取入口ローラ４５は駆動ローラ４５ａおよび従動ローラ４５ｂから構成され、読取モータ１０３によって駆動される。
【００５０】
また、スリットガラス２２ｂの上面には第１読取ローラ４７が設けられているとともに、この第１読取ローラ４７の下流側には読取出口ローラ４８が設けられており、第１読取ローラ４７は駆動ローラから構成され、読取出口ローラ４８は駆動ローラ４８ａおよび従動ローラ４８ｂから構成されている。
【００５１】
また、この読取出口ローラ４８の下流側には第２読取ローラ４９が設けられており、第２読取ローラ４９は駆動ローラから構成されている。また、第２読取ローラ４９の下流側には読取出口ローラ５０が設けられており、この読取出口ローラ５０は駆動ローラ５０ａおよび従動ローラ５０ｂから構成されている。そして、これら各ローラ４５、４７、４８、４９および５０は読取モータ１０３によって駆動される。
【００５２】
また、第２読取ローラ４９の上方にはＣＣＤ等のイメージセンサ５１が設けられており、このイメージセンサ５１は原稿の他方の面を読取るようになっている。
また、中間ローラ４３の下流側には入口センサ４６が設けられており、この入口センサ４６は原稿先端を検知するとコントローラ１００に信号を出力するようになっている。
【００５３】
コントローラ１００は入口センサ４６から信号が入力されると、読取入口ローラ４５の駆動ローラ４５ａおよび従動ローラ４５ｂのニップに原稿先端が進入する前に原稿搬送速度を読取搬送速度と同速にするために給紙モータ１０２の減速を開始するのと同時に、読取モータ１０３を正転駆動して中間ローラ４３を読取モータ１０３側の駆動系に接続するとともに、読取入口ローラ４５、第１読取ローラ４７、読取出口ローラ４８、第２読取ローラ４９を駆動するようになっている。
【００５４】
また、突き当てローラ４１および中間ローラ４３の駆動によりレジスト部２６からターン部２７に原稿を搬送する際には、レジスト部２６での搬送速度を第１読取搬送部２８での搬送速度よりも高速に設定して原稿をスリットガラス２２ｂに送り込む処理時間の短縮を図るとともに、原稿の紙間距離を縮めるようにしている。
【００５５】
また、読取入口ローラ４５の下流側にはレジストセンサ７１が設けられており、このレジストセンサ７１は原稿の先端を検知してコントローラ１００に信号を出力するようになっている。
【００５６】
コントローラ１００はレジストセンサ７１から信号が入力すると、給紙モータ１０２を所定の搬送距離をかけて減速し、スリットガラス２２ｂの手前で一時停止すると共に本体制御部１１１にＩ／Ｆ１０７を介してレジスト停止信号を送信する。コントローラ１００は本体制御部１１１から読取開始信号を受信すると、レジスト停止していた原稿の先端がスリットガラス２２ｂに到達するまでに所定の搬送速度に立ち上がるように読取モータ１０３を増速して中間ローラ４３および読取入口ローラ４５により原稿を搬送する。
【００５７】
ここで、原稿の先端がレジストセンサ７１に到達するより前に読取開始信号を受信した場合はレジスト非停止読取動作となる。レジスト非停止読取動作の場合はレジスト停止を行わずに、読取搬送速度を維持したまま読取りを行う。
【００５８】
読取モータ１０３のパルスカウントにより検出された原稿先端がスリットガラス２２ｂに到達するタイミングで、本体制御部１１１に対して第１面の副走査方向有効画像領域を示すゲート信号がスリットガラス２２ｂを原稿後端が抜けるまで送信される。
【００５９】
片面原稿読取りの場合には、スリットガラス２２ｂを通過した原稿は第２読取搬送部２９を経て排紙部３０に搬送される。この際、排紙センサ７４により原稿の先端を検知すると、排紙モータ１０４を正転駆動して排紙ローラ７３を反時計方向に回転させる。
【００６０】
排紙センサ７４による原稿の先端検知からの排紙モータ１０４のパルスカウントにより、原稿後端が排紙ローラ７３の駆動ローラ７３ａおよび従動ローラ７３ｂのニップから抜ける直前に排紙モータ１０４の駆動速度を減速させて、スタック部３１に排出される原稿が飛び出さない様に制御される。
【００６１】
両面原稿読取りの場合には、排紙センサ７４で原稿先端を検知してから読取モータ１０３のパルスカウントによりイメージセンサ５１に原稿先端が到達するタイミングでイメージセンサ５１に対してコントローラ１００から副走査方向の有効画像領域を示すゲート信号がイメージセンサ５１を原稿後端が抜けるまで送信される。
【００６２】
なお、第２読取ローラ４９は白色から構成されており、このようにしたのは、イメージセンサ５１におけるシェーディングデータを取得するための基準白部を兼ねるためであり、さらに、イメージセンサ５１の下方に第２読取ローラ４９を設けたのは、イメージセンサ５１による読取り時に原稿の浮きを抑えるためである。
【００６３】
一方、複写機の本体２１内には、図１に示すように光源、反射ミラー、集光レンズ、ＣＣＤ等のイメージセンサからなる画像読取手段８１が設けられており、この画像読取手段８１によって読取られた画像情報は書込部８２によって感光体ドラム８３に照射されるようになっている。
【００６４】
感光体ドラム８３の周囲には、図４に示すように、感光体ドラム８３と共に画像形成手段を構成する帯電装置８４、電位センサ８５、現像装置８６、転写ベルト８７、クリーニング装置８８、除電装置８９が設けられている。帯電装置８４は暗中にプラス電荷のコロナ放電をグリッドにより制御して感光体ドラム８３の表面を一定電位に帯電させるようになっている。
【００６５】
書込部８２はこの一定電位に帯電された感光体ドラム８３上に画像情報を含んだレーザダイオードを照射して感光体ドラム８３上のマイナス電荷を除去して静電潜像を形成する。
電位センサ８５は感光体ドラム８３上の電位を測定してプロセスコントロールによって補正を行う。
【００６６】
現像装置８６は感光体ドラム８３上の電気除去された部分にマイナスに帯電されたトナーを付着させて可視像を形成する。
転写ベルト８７にはプラスのバイアスが印加されており、この転写ベルト８７はマイナスに帯電された可視像を転写紙（用紙）に転写して搬送するようになっている。
【００６７】
クリーニング装置８８はクリーニングブレードを備えており、感光体ドラム８３に残ったトナーを掻き落とすようになっている。
除電装置８９はＬＥＤを点灯させることにより感光体ドラム８３の残留電荷を除去して次の転写紙に新たな画像を形成するための準備を行う。
【００６８】
このようにした画像が形成された転写紙は定着装置９０に搬送され、定着装置９０によりトナー画像が転写紙に定着される。 
【００６９】
また、本体２１内にはそれぞれ異なるサイズの転写紙Ｓ1〜Ｓ5が収納された収納カセット９１〜９５が設けられており、この収納カセット９１〜９５に収納された転写紙は呼出しローラ９１ａ〜９５ａによって給紙された後、搬送方向に回転する給紙ローラ９１ｂ〜９５ｂおよび給紙ローラ９１ｂ〜９５ｂに摺接し、分離阻止方向に回転するリバースローラ９１ｃ〜９５ｃによって分離された後、中継ローラ対９６、９７を介してレジストローラ対９８に搬送され、レジストローラ対９８によってタイミングを取られて感光体ドラム８３と転写ベルト８７の間の搬送路に搬送される。
【００７０】
一方、図５に示すようにスリットガラス２２ｂの搬送方向上流側の端部は、押えカバー（第１の押え部材）１２１によって本体２１に固定されており、この押えカバー１２１は原稿Ｐをスリットガラス２２ｂ上の読取位置Ａに案内するようになっている。
【００７１】
また、スリットガラス２２ｂの搬送方向下流側の端部は原稿ガイド１２２によって本体２１に固定されており、この原稿ガイド１２２は読取りが終了した原稿Ｐをスリットガラス２２ｂからすくい上げて読取出口ローラ４８側に排紙するようになっている。
【００７２】
また、スリットガラス２２ｂは、搬送される原稿Ｐと対向する面に防汚用のコーティング層１２３が設けられており、このコーティング層１２３は押えカバー１２１および原稿ガイド１２２に対向する面には施されていないようになっている（図６参照）。
【００７３】
このコーティング層１２３はスリットガラス２２ｂの表面に設けられた低摩擦係数で、かつ撥水性、撥油性を有するフッ素系化合物あるいはシリコーン系の化合物から構成されており、ガラスの幅より狭いローラや刷毛、あるいはスプレーによりスリットガラス２２ｂの表面に塗布されている。なお、コーティング剤の塗布に際しては、マスキングによりコーティング領域のみを外部に露出してコーティングするようにしても良い。また、塗布以外にコーティング剤を真空蒸着したり、コーティング剤に浸けたりする方法がある。
【００７４】
また、フッ素系化合物やシリコーン系の化合物をガラスから剥離しないように取付ける場合には、加水分解基をガラスに付けるとともに、有機官能基をフッ素系化合物やシリコーン化合物に付けることにより、接着剤の機能を付与することができ、長期に亙ってこれらの皮膜をガラスに定着することができる。
【００７５】
次に、搬送動作を説明する。
まず、原稿テーブル２４に原稿束Ｐが載置されると、原稿セットセンサ３６がセットフィラー３５を検知した状態から未検知状態に変化するため、底板上昇モータ１０５を上昇させて原稿束Ｐの最上面をピックアップローラ３７に接触させる。
【００７６】
次いで、操作部１０８のプリントキーが押下されると、本体制御部１１１からＩ／Ｆ１０７を介してコントローラ１００に原稿給紙信号が送信されるため、給紙モータ１０２を正転駆動するとともに、給紙ベルト３９が時計方向に周回移動し、さらに、リバースローラ４０が時計方向に回転する。このため、原稿束Ｐから最上位に位置する原稿が分離される。
【００７７】
次いで、レジストセンサ７１が読取開始信号を受信する前に、突き当てセンサ４２が原稿の先端を検知した場合には、所定量定められた距離だけ給紙モータ１０２を駆動して給紙ベルト３９を周回移動させることにより、原稿を所定距離だけ搬送し、原稿の先端を突き当てローラ４１に突き当て、原稿が所定量の撓みを持って押し当てられた状態にして原稿のスキューを矯正する。
【００７８】
次いで、給紙モータ１０２の駆動を停止した後、ピックアップモータ１０１の駆動を停止し、ピックアップモータ１０１を回転させてピックアップローラ３７を原稿束Ｐの上面から退避させる。
【００７９】
次いで、給紙モータ１０２を逆転駆動する。このとき、ピックアップローラ３７と給紙ベルト３９が停止されるとともに、突き当てローラ４１および中間ローラ４３が駆動され、原稿がスリットガラス２２ｂに向かって搬送される。
【００８０】
次いで、入口センサ４６によって原稿の先端が検知されると、コントローラ１００が１枚目の原稿が分離給紙されたものと判断し、原稿の搬送速度を読取搬送速度と同速にするために給紙モータ１０２を減速駆動するとともに、原稿の先端を読取入口ローラ４５に突き当て、原稿が所定量の撓みを持って押し当てられた状態にして原稿のスキューを矯正するとともに、この位置をレジスト停止位置にして本体制御部１１１にＩ／Ｆ１０７を介してレジスト停止信号を送信する。
【００８１】
次いで、コントローラ１００に読取開始信号が入力すると、読取モータ１０３を駆動して、読取入口ローラ４５および第１読取ローラ４７によって原稿をスリットガラス２２ｂ上に搬送する。
【００８２】
次いで、読取モータ１０３のパルスカウントにより検出された原稿先端が画像読取手段８１の上方に到達するタイミングで、本体制御部１１１に対して第１面の副走査方向有効画像領域を示すゲート信号をスリットガラス２２ｂを原稿後端が抜けるまで送信し、スリットガラス２２ｂの下方に設けられたイメージセンサを備えた画像読取手段８１によって原稿の一方の面を読取る。
【００８３】
次いで、給紙モータ１０２を逆転して原稿テーブル２４に載置された後続する原稿の給紙を開始する。このとき、原稿の先端が突き当てセンサ４２によって検知されると、原稿の先端が突き当てセンサ４２によって検知されてから所定量定められた距離だけ搬送する。次いで、原稿の先端が突き当てローラ４１を抜けたときに給紙モータ１０２を正転駆動し、突き当てローラ４１および中間ローラ４３への駆動を停止するが、このときには中間ローラ４３は読取モータ１０３の駆動によって読取入口ローラ４５等の読取搬送系のローラと略同一の線速で駆動されている。また、このときに、後続する原稿の先端が突き当てローラ４１に突き当てられて後続する原稿のスキューが矯正される。
【００８４】
ここで、片面原稿読取りの場合には、第１読取搬送部２８を通過した原稿が第２読取搬送部２９を経て排紙部３０に搬送されるが、この際に排紙センサ７４によって原稿の先端が検知されると、排紙モータ１０４を正転駆動して排紙ローラ７３を反時計方向に回転させる。
【００８５】
また、排紙センサ７４による原稿の先端検知からの排紙モータ１０４のパルスを計数することにより、原稿後端が排紙ローラ７３の駆動ローラ７３ａおよび従動ローラ７３ｂのニップから抜ける直前に排紙モータ１０４の駆動速度を減速させて、スタック部３１に排出される原稿が飛び出さないように制御する。
【００８６】
一方、スリットガラス２２ｂに搬送される原稿Ｐは押えカバー１２１によってスリットガラス２２ｂ上の読取位置Ａに案内された後、読取位置Ａで画像読取手段８１によって画像が読取られた後、原稿ガイド１２２によってすくい上げられて読取出口ローラ４８側に排紙する。
【００８７】
本実施の形態では、原稿Ｐに対向するスリットガラス２２ｂの面にコーティング層１２３を設けたので、原稿Ｐに付いた修正液、糊、未乾燥のインク、あるいは紙粉等のごみがスリットガラス２２ｂの読取位置Ａに付着してスリットガラス２２ｂが汚れてしまうことがない。
【００８８】
また、コーティング層１２３は押えカバー１２１および原稿ガイド１２２に対向する面には施されていないので、この部分のスリットガラス２２ｂの面はコーティング層１２３に対して高摩擦係数となっている。
【００８９】
このため、ごみがスリットガラス２２ｂからスリットガラス２２ｂと押えカバー１２１または原稿ガイド１２２の間から複写機の本体２１内に侵入し難くすることができる。
【００９０】
この結果、従来においてスリットガラス２２ｂに付着していたごみ等の影響によるすじ画像を防止することができるとともに、複写機の機器、例えば、画像読取手段８１を構成する光源、反射ミラー、集光レンズ、ＣＣＤ等のイメージセンサ等が汚れてしまうのを防止することができ、ごみ等が縦の黒筋（副走査方向と平行の黒筋）となって画像に現れてしまうのを防止して、画質が低下するのを防止することができる。
【００９１】
また、搬送される原稿Ｐと対向するスリットガラス２２ｂの面にコーティング層１２３を設け、押えカバー１２１および原稿ガイド１２２に対向する面にコーティング処理を施していないので、コーティング剤を節約することができ、複写機の製造コストを低減することができる。
【００９２】
また、本実施の形態では、原稿Ｐの搬送方向上流側のスリットガラス２２ｂの端部に押えカバー１２１を設け、この押えカバー１２１によって原稿Ｐをスリットガラス２２ｂに案内するとともに、原稿Ｐの搬送方向下流側のスリットガラス２２ｂの端部に原稿ガイド１２２を設け、この原稿ガイド１２２によって読取りが終了した原稿Ｐをスリットガラス２２ｂからすくい上げて排紙するようにしたので、原稿Ｐを読取位置Ａに容易に案内することができるとともに、読取りが終了した原稿を読取位置Ａから容易に排紙することができる。
【００９３】
図７、図８は本発明に係る画像読取装置および画像読取装置を備えた画像形成装置の第２の実施の形態を示す図である。本実施の形態では、スリットガラス２２ｂに特徴があり、複写機の全体構成は第１の実施の形態と同様であるため、第１の実施の形態と同様の構成には同一番号を付して説明を省略する。
【００９４】
図７、図８において、搬送される原稿Ｐと対向するスリットガラス２２ｂの面にはコーティング層１２４が設けられており、このコーティング層１２４は読取位置Ａを含んだ領域から原稿の搬送方向上流側の押えカバー１２１に延在し、読取位置Ａから原稿Ｐの搬送方向下流側にコーティング処理が施されていない領域１２５を有している。
【００９５】
したがって、原稿Ｐと対向する面にはコーティング層１２４が形成された摩擦係数の低い領域とコーティング層１２４が設けられていない摩擦係数の高い領域が存在する。
【００９６】
スリットガラス２２ｂの汚れを防止したい領域は、実際の原稿Ｐの画像を読取る読取位置Ａであり、読取位置Ａに対して原稿の搬送方向上流側が汚れてしまうと、原稿の搬送方向下流側の読取位置Ａにごみ等の汚れが延在したり、または移動してしまう。
【００９７】
本実施の形態では、読取位置Ａを含んだ領域から原稿の搬送方向上流側の押えカバー１２１に延在するようにスリットガラス２２ｂにコーティング層１２４を設けたので、スリットガラス２２ｂの読取位置Ａ上が汚れてしまうのを防止することができる。
【００９８】
また、読取位置Ａから下流側にごみ等の汚れが延在したり、または移動してしまうことがあり、何等かの原因でこのごみ等が読取位置Ａに逆流してしまう可能性があるが、本実施の形態では、読取位置Ａに対して原稿の搬送方向下流側にコーティング処理が施されていない領域１２５を設けたので、この部分のスリットガラス２２ｂの面の摩擦係数を高くすることができ、ごみ等の汚れをこの領域１２５に留らせておくことができる。
以上の結果、スリットガラス２２ｂの読取位置Ａ上が汚れてしまうのを防止することができる。
【００９９】
図９、図１０は本発明に係る画像読取装置および画像読取装置を備えた画像形成装置の第３の実施の形態を示す図である。本実施の形態では、スリットガラス２２ｂに特徴があり、複写機の全体構成は第１の実施の形態と同様であるため、第１の実施の形態と同様の構成には同一番号を付して説明を省略する。
【０１００】
図９において、原稿に対向するスリットガラス２２ｂの面で、かつコーティング層１２３が設けられていない面には感圧性接着剤（両面テープ）や表面に接着剤が塗布されたゴムパッキン等の粘着部材（介装部材）１２６が設けられており、この粘着部材１２６によって押えカバー１２１とスリットガラス２２ｂの間が密閉されている。
【０１０１】
なお、この粘着部材１２６は押えカバー１２１側に予め取付けておいても良く、スリットガラス２２ｂ側に取付けておいても良い。また、コーティング層１２３が設けられていないスリットガラス２２ｂの高摩擦係数の面上に粘着部材１２６が取付けられるので、スリットガラス２２ｂから剥がれることはない。
【０１０２】
本実施の形態では、粘着部材１２６によって押えカバー１２１とスリットガラス２２ｂの間が密閉しているので、押えカバー１２１とスリットガラス２２ｂの間から本体２１内にごみが侵入するのを粘着部材１２６によって確実に遮断することができ、画質が低下するのをより一層防止することができる。
【０１０３】
なお、介装部材１２６は粘着性を有する部材でなくとも良く、例えば、ゴムパッキンや発泡スチロール等から構成しても良い。要は、粘着部材１２６によって押えカバー１２１とスリットガラス２２ｂの間が密閉できれば良いのである。
【０１０４】
また、押えカバー１２１とスリットガラス２２ｂの間に粘着部材１２６を設ける代わりに、図１０に示すように、原稿ガイド１２３とスリットガラス２２ｂの間に粘着部材１２７を設けても良く、押えカバー１２１とスリットガラス２２ｂの間および原稿ガイド１２３とスリットガラス２２ｂの間の両方に粘着部材を設けても良い。
【０１０５】
図１１、図１２は本発明に係る画像読取装置および画像読取装置を備えた画像形成装置の第４の実施の形態を示す図である。本実施の形態では、スリットガラス２２ｂに特徴があり、複写機の全体構成は第１の実施の形態と同様であるため、第１の実施の形態と同様の構成には同一番号を付して説明を省略する。
【０１０６】
図１１において、スリットガラス２２ｂの両面にはコーティング層１２８ａ、１２８ｂが設けられており、このコーティング層１２８ａ、１２８ｂは、原稿の搬送方向（副走査方向）１２９と直交する方向（主走査方向）に延在する中心軸１３０に対して点対称な位置に設けられている。
【０１０７】
本実施の形態では、スリットガラス２２ｂの断面形状は長方形であるため、長方形の対角線の交点に対してコーティング層１２８ａ、１２８ｂが点対称に設けられており、コーティング層１２８ａ、１２８ｂは対角線上に対向している。
【０１０８】
このような構成を有するスリットガラス２２ｂにあっては、スリットガラス２２ｂの両面に対し、原稿の搬送方向１２９と直交する方向に延在する中心軸に対して点対称な位置にコーティング層１２８ａ、１２８ｂを形成したので、スリットガラス２２ｂを、中心軸１３０を中心にして１８０゜回動させてスリットガラス２２ｂの上下面を引っ繰り返すことにより、原稿に対向する同一面上にコーティング層を位置させることができる。
【０１０９】
すなわち、スリットガラス２２ｂの上下面を引っ繰り返したときに、コーティング層１２８ａの位置にコーティング層１２８ｂを位置させ、コーティング層１２８ｂの位置にコーティング層１２８ａを位置させることができる。
【０１１０】
この結果、スリットガラス２２ｂの一方の面のコーティング効果が劣化した場合に、他方の面を使用することでスリットガラス２２ｂを短期間で交換する必要がなく、スリットガラス２２ｂのランニングコストを大幅に低減することができる。
【０１１１】
なお、本実施の形態では、コーティング層１２８ａ、１２８ｂを対角線上に対向して設けているが、これに限らず、図１２に示すように、コーティング層１３１ａ、１３１ｂを線対称の位置に設けても良い。このようにしても、スリットガラス２２ｂの両面に対し、原稿の搬送方向１２９と直交する方向に延在する中心軸に対して点対称な位置にコーティング層１３１ａ、１３１ｂが設けられることに変わりはない。
【０１１２】
図１３は本発明に係る画像読取装置および画像読取装置を備えた画像形成装置の第５の実施の形態を示す図である。本実施の形態では、スリットガラス２２ｂに特徴があり、複写機の全体構成は第１の実施の形態と同様であるため、第１の実施の形態と同様の構成には同一番号を付して説明を省略する。
【０１１３】
図１３において、スリットガラス２２ｂの両面にはコーティング層１３２ａ、１３２ｂが設けられているとともに、スリットガラス２２ｂの両面の非コーティング領域には粘着部材１３３ａ、１３３ｂが設けられており、このコーティング層１３２ａ、１３２ｂおよび粘着部材１３３ａ、１３３ｂは、原稿の搬送方向（副走査方向）と直交する方向（主走査方向）に延在する中心軸１３４に対して点対称な位置に形成されている。
【０１１４】
本実施の形態では、スリットガラス２２ｂの断面形状は長方形であるため、長方形の対角線の交点に対してコーティング層１３２ａ、１３２ｂおよび粘着部材１３３ａ、１３３ｂが点対称に設けられており、コーティング層１３２ａ、１３２ｂおよび粘着部材１３３ａ、１３３ｂは対角線上に対向している。
【０１１５】
このような構成を有するスリットガラス２２ｂにあっては、スリットガラス２２ｂの両面に対し、原稿の搬送方向と直交する方向に延在する中心軸に対して点対称な位置にコーティング層１３２ａ、１３２ｂおよび粘着部材１３３ａ、１３３ｂを形成したので、スリットガラス２２ｂを、中心軸１３４を中心にして１８０゜回動させてスリットガラス２２ｂの上下面を引っ繰り返すことにより、原稿に対向する同一面上にコーティング層を位置させることができる。
【０１１６】
すなわち、スリットガラス２２ｂの上下面を引っ繰り返したときに、コーティング層１３２ａの位置にコーティング層１３２ｂを位置させるとともに粘着部材１３３ａの位置に粘着部材１３３ｂを位置させ、コーティング層１３２ｂの位置にコーティング層１３２ａを位置させるとともに粘着部材１３３ｂの位置に粘着部材１３３ａに位置させることができる。
【０１１７】
この結果、スリットガラス２２ｂの一方の面のコーティング効果が劣化した場合に、他方の面を使用することでスリットガラス２２ｂを短期間で交換する必要がなく、スリットガラス２２ｂのランニングコストを大幅に低減することができる。
【産業上の利用可能性】
【０１１８】
以上のように、本発明に係る画像読取装置および画像形成装置は、透光性部材が汚れてしまうのを防止することができるとともに、透光性部材から飛散したごみ等が装置内に侵入するのを防止して画質が低下するのを低コストで実現することができるという効果を有し、複写機、ファクシミリ装置、プリンタ装置等の画像形成装置に設けられ、搬送される原稿を透光性部材を通して読取るようにした画像読取装置およびその画像読取装置を備えた画像形成装置等として有用である。
【図面の簡単な説明】
【０１１９】
【図１】本発明に係る画像読取装置を備えた画像形成装置の第１の実施の形態を示す図であり、画像形成装置としての複写機の概略構成図である。
【図２】第１の実施の形態のＡＤＦの概略構成図である。
【図３】第１の実施の形態の画像形成装置の駆動系のブロック図である。
【図４】一実施の形態の画像形成手段の構成図である。
【図５】第１の実施の形態のスリットガラスおよびその周辺の構成図である。
【図６】第１の実施の形態のスリットガラスの斜視図である。
【図７】本発明に係る画像読取装置を備えた画像形成装置の第２の実施の形態を示す図であり、スリットガラスおよびその周辺の構成図である。
【図８】第２の実施の形態のスリットガラスの斜視図である。
【図９】本発明に係る画像読取装置を備えた画像形成装置の第３の実施の形態を示す図であり、スリットガラスおよびその周辺の構成図である。
【図１０】第３の実施の形態の他の構成のスリットガラスおよびその周辺の構成図である。
【図１１】本発明に係る画像読取装置を備えた画像形成装置の第４の実施の形態を示す図であり、（ａ）はスリットガラスの斜視図、（ｂ）はスリットガラスの側面図である。
【図１２】第４の実施の形態の他の構成のスリットガラスの側面図である。
【図１３】本発明に係る画像読取装置を備えた画像形成装置の第５の実施の形態を示す図であり、スリットガラスおよびその周辺の構成図である。
【符号の説明】
【０１２０】
２１  本体
２２ｂ  スリットガラス（透光性部材）
８１  画像読取手段
１２１  押えカバー（固定部材）
１２２  原稿ガイド（固定部材）
１２３、１２４、１２８ａ、１２８ｂ、１３２ａ、１３２ｂ  コーティング層
１２６、１２７、１３３ａ、１３３ｂ  粘着部材（介装部材）
Ａ  読取位置
【図１】
2006211031.tif 000003
【図２】
2006211031.tif 000004
【図３】
2006211031.tif 000005
【図４】
2006211031.tif 000006
【図５】
2006211031.tif 000007
【図６】
2006211031.tif 000008
【図７】
2006211031.tif 000009
【図８】
2006211031.tif 000010
【図９】
2006211031.tif 000011
【図１０】
2006211031.tif 000012
【図１１】
2006211031.tif 000013
【図１２】
2006211031.tif 000014
【図１３】
2006211031.tif 000015